(57)【特許請求の範囲】
【請求項１】
側方ドアが取り付けられる側方ドア用開口部と、側方から見たときに前記側方ドア用開口部の輪郭内において車両床部に設置された後席用空調ユニットとを有する車両の車両室内に、前記側方ドア用開口部を通して搭載されるインストルメントパネルユニットであって、
インストルメントパネルと、
該インストルメントパネルを支持し、前記車両の側部間に延びるように前記車両の側部に固定されるクロスメンバと、
該クロスメンバの幅方向中央部から下方に延びる一対の上部センタメンバと、
前記後席用空調ユニットよりも車両前後方向前方で前記車両床部に固定され、その高さが、車両床部に設置された後席用空調ユニットの高さと略同じか、又は、それよりも高い一対の下部センタメンバと、
前記インストルメントパネルと前記クロスメンバと前記一対の上部センタメンバとからなるサブ・インストルメントパネルユニットを車室の前部に取り付ける際に、前記一対の上部センタメンバの下部と車両床部に固定した前記一対の下部センタメンバの上部とを係合させて前記サブ・インストルメントパネルユニットを前方へ回動可能に支持する係合手段と、
前記一対の上部センタメンバの下部と前記一対の下部センタメンバの上部とを係合させた状態で前記一対の上部センタメンバの下部と前記一対の下部センタメンバの上部とを締結するための締結手段とを有する、
インストルメントパネルユニット。
【請求項２】
前記後席用空調ユニットが、前記インストルメントパネルユニットよりも車両前後方向前方に位置するエンジンルームから延びる空調媒体供給管と接続され、該空調媒体供給管が、前記インストルメントパネルユニットから前記後席用空調ユニットまで、前記車両床部とフロアマットとの間に配置される、請求項１記載のインストルメントパネルユニット。
【請求項３】
前記係合手段は、前記一対の上部センタメンバの下部と前記一対の下部センタメンバの上部の何れか一方に設けた回動軸と、他方に設けられ回動軸と係合するスリットからなる、請求項１記載のインストルメントパネルユニット。
【請求項４】
側方ドアが取り付けられる側方ドア用開口部と、側方から見たときに前記側方ドア用開口部の輪郭内において車両床部に設置された後席用空調ユニットとを有する車両の車両室内に、前記側方ドア用開口部を通してインストルメントパネルユニットを搭載する方法であって、
前記インストルメントパネルユニットが、インストルメントパネルと、該インストルメントパネルを支持し、前記車両の側部間に延びるように前記車両の側部に固定されるクロスメンバと、該クロスメンバの幅方向中央部から下方に延びる一対の上部センタメンバと、前記車両床部に固定された時に、その高さが、車両床部に設置された後席用空調ユニットの高さと略同じか、又は、それよりも高い一対の下部センタメンバとを備え、
前記インストルメントパネルと、前記クロスメンバと、前記一対の上部センタメンバとがサブ・インストルメントパネルユニットを構成し、
前記後席用空調ユニットよりも車両前後方向前方で前記車両床部に前記一対の下部センタメンバを固定し、
前記サブ・インストルメントパネルユニットを、そのクロスメンバが前記車両の側部間に延びるように、前記側方ドア用開口部を通して前記車両室内に運び入れ、
前記一対の上部センタメンバの下部と前記一対の下部センタメンバの上部とを係合させた後、この係合箇所を中心に、車両前後方向前方に前記サブ・インストルメントパネルユニットを、車両室内に最終的に固定すべき位置まで回動させ、
前記一対の上部センタメンバの下部と前記一対の下部センタメンバの上部とを締結手段で締結し、
前記クロスメンバの両端部を前記車両の側部に固定することを含む、
方法。
【請求項５】
前記下部センタメンバの固定に先立って、
空調媒体供給管をエンジンルームから前記後席用空調ユニットまで延設し、
前記空調媒体供給管を前記後席用空調ユニットに接続し、
前記空調媒体供給管をフロアマットで覆うことを含む、
請求項４記載の方法。
【請求項６】
前記一対の上部センタメンバの下部と一対の下部センタメンバの上部との係合は、前記一対の上部センタメンバの下部と一対の下部センタメンバの上部の何れか一方に設けた回動軸を、他方に設けたスリットに係合させることを含む、請求項４記載の方法。
【発明の詳細な説明】
【技術分野】
【０００１】
本発明は、車両に搭載されるインストルメントパネルユニットに関する。
【背景技術】
【０００２】
自動車の車室内前部にはインストルメントパネルメンバが設けられる。このインストルメントパネルメンバは、車両の側部間に延びる中空のクロスメンバと、クロスメンバの幅方向中央部から下方に延びてフロアパネルに固定されるセンタメンバとを有し、ステアリングシャフトやインストルメントパネルを支持するのに用いられている。センタメンバは、車両を衝突安全基準に適合させるのに重要な部材であり、今日、多くの車両が採用している。
【０００３】
インストルメントパネルを車室に取り付けるに当たっては、インストルメントパネルをインストルメントパネルメンバに予め取り付けた状態で行うことがあり、このようなインストルメントパネルユニットを車室に取り付けるときには、インストルメントパネルメンバの中空クロスメンバ内に組立治具の支持ロッドを挿入し、インストルメントパネルユニツト全体を片持ち支持する。
【０００４】
そして、支持ロッドで支持したインストルメントパネルユニツトを車両のフロントドア取付開口部から車室内に運び入れ、組立治具をインストルメントパネルユニツトから取り除いて、インストルメントパネルユニツトを車両に取り付ける。
【発明の開示】
【発明が解決しようとする課題】
【０００５】
ところで、車両のタイプによっては、インストルメントパネルの内部に、または、側方に取り付けられる前席用空調ユニツトとは別個に、後席用空調ユニツトが、インストルメントパネルの車両前後方向後方で、フロアパネルに取り付けられることがある。例えば、所謂ワンボックスカーや、ミニバンなどにおいては、後席用空調ユニツトがインストルメントパネルの設置場所に隣接して配置されることがある。
【０００６】
この後席用空調ユニツトは、配管の組み付け等の都合上、上述したインストルメントパネルユニツトの車室内への運び入れに先立って行われることが多い。このため、インストルメントパネルユニツトの車室内への運び入れに際しては、後席用空調ユニツトの設置位置如何によっては、インストルメントパネルユニツト、特にインストルメントパネルメンバのセンタメンバが、既に設置された後席用空調ユニツト等に干渉してしまうという問題がある。尚、この問題は、例えば、Ａピラーが比較的寝ているような車高の低い車種の場合に特に顕著である。
【０００７】
従って、本発明は、上述した問題を解決するために発明されたものであって、先に車室内に設置された所定ユニットとの干渉を軽減して車室内に搭載することができるインストルメントパネルユニット、及び、その搭載方法を提供することを目的とする。
【課題を解決するための手段】
【０００８】
上記目的を達成するため、第１発明によるインストルメントパネルユニットは、側方ドアが取り付けられる側方ドア用開口部と、側方から見たときに前記側方ドア用開口部の輪郭内において車両床部に設置された後席用空調ユニットとを有する車両の車両室内に、前記側方ドア用開口部を通して搭載され、インストルメントパネルと、該インストルメントパネルを支持し、前記車両の側部間に延びるように前記車両の側部に固定されるクロスメンバと、該クロスメンバの幅方向中央部から下方に延びる一対の上部センタメンバと、前記後席用空調ユニットよりも車両前後方向前方で前記車両床部に固定され、、その高さが、車両床部に設置された後席用空調ユニットの高さと略同じか、又は、それよりも高い一対の下部センタメンバと、インストルメントパネルとクロスメンバと一対の上部センタメンバとからなるサブ・インストルメントパネルユニットを車室の前部に取り付ける際に、一対の上部センタメンバの下部と車両床部に固定した一対の下部センタメンバの上部とを係合させてサブ・インストルメントパネルユニットを前方へ回動可能に支持する係合手段と、一対の上部センタメンバの下部と一対の下部センタメンバの上部とを係合させた状態で一対の上部センタメンバの下部と一対の下部センタメンバの上部とを締結するための締結手段とを有することを特徴とする。
【０００９】
第１発明では、インストルメントパネルユニットを車室内に運び込むときに後席用空調ユニットと干渉しやすいセンタメンバを上部センタメンバと、下部センタメンバとに分離し、これらを、インストルメントパネルユニットの車室内への運び込み後に、締結可能としたので、後席用空調ユニットに対するインストルメントパネルユニットの干渉を軽減することができる。
【００１０】
下部センタメンバの高さに反比例してインストルメントパネルユニットから下方に突出する上部センタメンバを短くすることができ、後席用空調ユニットとの干渉を軽減することができる。
【００１１】
また、前記締結手段が、前記上部センタメンバの下部と下部センタメンバの上部との締結に先立って、前記上部センタメンバの下部と下部センタメンバの上部とを一時的に係合させておくための仮係合手段を備えるのが好ましい。仮係合により、インストルメントパネルユニットの搭載作業を容易、且つ、正確に行うことが可能となる。
【００１２】
更に、後席用空調ユニットが、前記インストルメントパネルユニットよりも車両前後方向前方に位置するエンジンルームから延びる空調媒体供給管と接続され、該空調媒体供給管が、前記インストルメントパネルユニットから前記後席用空調ユニットまで、フロアパネルとフロアマットとの間に配置されているのが好ましい。インストルメントパネルユニットの搭載に先立って、後席用空調ユニットを空調媒体供給管に接続することにより、当該接続作業を容易にすることができる。
更に、係合手段は、一対の上部センタメンバの下部と一対の下部センタメンバの上部の何れか一方に設けた回動軸と、他方に設けられ回動軸と係合するスリットからなるのが好ましい。
【００１３】
上記目的を達成するため、第２発明による、側方ドアが取り付けられる側方ドア用開口部と、側方から見たときに前記側方ドア用開口部の輪郭内において車両床部に設置された後席用空調ユニットとを有する車両の車両室内に、前記側方ドア用開口部を通してインストルメントパネルユニットを搭載する方法は、前記インストルメントパネルユニットが、インストルメントパネルと、該インストルメントパネルを支持し、車両の側部間に延びるように車両の側部に固定されるクロスメンバと、該クロスメンバの幅方向中央部から下方に延びる一対の上部センタメンバと、車両床部に固定された時に、その高さが、車両床部に設置された後席用空調ユニットの高さと略同じか、又は、それよりも高い一対の下部センタメンバとを備え、インストルメントパネルと、クロスメンバと、一対の上部センタメンバとがサブ・インストルメントパネルユニットを構成し、前記後席用空調ユニットよりも車両前後方向前方で前記車両床部に前記一対の下部センタメンバを固定し、前記サブ・インストルメントパネルユニットを、そのクロスメンバが前記車両の側部間に延びるように、前記側方ドア用開口部を通して前記車両室内に運び入れ、一対の上部センタメンバの下部と一対の下部センタメンバの上部とを係合させた後、この係合箇所を中心に、車両前後方向前方に前記サブ・インストルメントパネルユニットを、車両室内に最終的に固定すべき位置まで回動させ、一対の上部センタメンバの下部と前記一対の下部センタメンバの上部とを締結手段で締結し、前記クロスメンバの両端部を前記車両の側部に固定することを含むことを特徴とする。
【００１４】
第２発明では、インストルメントパネルユニットを車室内に運び込むときに後席用空調ユニットと干渉しやすいセンタメンバを上部センタメンバと、下部センタメンバとに分離し、これらを、インストルメントパネルユニットの車室内への運び込み後に、締結可能としたので、後席用空調ユニットに対するインストルメントパネルユニットの干渉を軽減することができる。
【００１５】
下部センタメンバの高さに反比例してインストルメントパネルユニットから下方に突出する上部センタメンバを短くすることができ、後席用空調ユニットとの干渉を軽減することができる。
【００１６】
また、前記上部センタメンバと前記下部センタメンバとを締結する工程が、前記上部センタメンバの下部と下部センタメンバの上部との締結に先立って、前記上部センタメンバの下部と下部センタメンバの上部とを一時的に係合させることを含むのが好ましい。仮係合により、インストルメントパネルユニットの搭載作業を容易、且つ、正確に行うことが可能となる。
【００１７】
上記構成によれば、サブ・インストルメントパネルユニットを一時的係合箇所を中心に最終固定位置まで回動させることができるので、インストルメントパネルユニットの搭載作業を容易、且つ、正確に行うことが可能となる。
【００１８】
更にまた、前記下部センタメンバの固定に先立って、空調媒体供給管をエンジンルームから前記後席用空調ユニットまで延設し、前記空調媒体供給管を前記後席用空調ユニットに接続し、前記空調媒体供給管をフロアマットで覆うことを含むのが好ましい。この方法では、インストルメントパネルユニットの搭載に先立って、後席用空調ユニットを空調媒体供給管に接続することにより、当該接続作業を容易にすることができる。
更に、一対の上部センタメンバの下部と一対の下部センタメンバの上部との係合は、一対の上部センタメンバの下部と一対の下部センタメンバの上部の何れか一方に設けた回動軸を、他方に設けたスリットに係合させることを含むのが好ましい。
【発明の効果】
【００１９】
本発明によれば、先に車室内に設置された所定ユニットとの干渉を軽減して車室内に搭載することができるインストルメントパネルユニット、及び、その搭載方法を提供することができる。
【発明を実施するための最良の形態】
【００２０】
以下、添付図面を参照して本発明の実施形態について説明する。この実施形態は、本発明をフロントエンジン搭載車に取り付けられるインストルメントパネルユニットに適用したものである。
【００２１】
図１を参照すると、前席と、後席とを備える車両のホディ１が示されている。ホディ１の前部にはエンジンルーム(図示せず)が設けられ、このエンジンルームの車両前後方向後方に、バルクヘッド又はダッシュパネル(図示せず)によって隔壁された車室Ｒが構成される。
【００２２】
ボディ１は、車室Ｒの前方側部にフロントドアが取り付けられるフロントドア用開口部２を備える。車室Ｒの床部はフロアパネル３によって構成され、フロアパネル３の車幅方向中央部は上方に隆起してセンタートンネル４を構成する。このセンタートンネル４上には、ボディ１をフロントドア用開口部２の側方から見たときにフロントドア用開口部２の輪郭２Ａ内に位置するように、後席用空調ユニツト１０が設けられている。
【００２３】
後席用空調ユニツト１０は、図２に示すように、フロアパネル３上をエンジンルーム(図示せず)から延びる空調媒体供給管１１と接続され、後席用空調ユニツト１０及び空調媒体供給管１１はフロアマット１２によって上方から覆われている。
【００２４】
車室Ｒには、フロントドア用開口部２からインストルメントパネルユニツトが運び入れられ、インストルメントパネルユニツトは車室Ｒの前部、すなわち、後席用空調ユニツト１０の車両前後方向前方に取り付けられる。
【００２５】
インストルメントパネルユニツトは、インストルメントパネルメンバと、このインストルメントパネルメンバによって支持され、前席用空調装置や、各種電子機器等が取り付けられたインストルメントパネル２１とを有する。
【００２６】
インストルメントパネルメンバは車室Ｒを車両幅方向に延びるように配置されるクロスメンバ２２を有し、クロスメンバ２２の各端部は、ボルト・ナット手段又は溶接など既知の手段のいずれかによって、ボディ１の側部に固定されるようになっている。
【００２７】
インストルメントパネルメンバはまた、クロスメンバ２２の幅方向中央部から下方に延びる一対の上部センタメンバ２３と、後席用空調ユニツト１０よりも車両前後方向前方でフロアパネル３に固定されるようになった一対の下部センタメンバ２４とを有する。
【００２８】
各下部センタメンバ２４は取付ブラケット２５を介してフロアパネル３のセンタートンネル４に取り付けられる。取付ブラケット２５はセンタートンネル４の頂部４Ａ及び両側壁部４Ｂに亘って延び、その周縁部には複数のボルト取付穴(図示せず)が形成されている。取付ブラケット２５のこれらのボルト取付穴(図示せず)に対応してセンタートンネル４には雌ねじ(図示せず)が切られており、ボルトＢ１を取付ブラケット２５のボルト取付穴(図示せず)に通して、センタートンネル４の雌ねじ(図示せず)に螺合させることによって、取付ブラケット２５をセンタートンネル４に堅固に取り付けることができるようになっている。
【００２９】
取付ブラケット２５にはまた、車幅方向に間隔が隔てられ、上方に突出する一対の取付台(図示せず)が形成され、各取付台(図示せず)にはボルト取付穴(図示せず)が形成されている。各取付台(図示せず)のボルト取付穴(図示せず)に対応するボルト取付穴(図示せず)が各下部センタメンバ２４の下端部に形成されている。従って、下部センタメンバ２４のボルト取付穴(図示せず)及び取付ブラケット２５のボルト取付穴(図示せず)を貫通させたボルトＢ２をナット(図示せず)で締めることによって、図３に示すように、下部センタメンバ２４を取付ブラケット２５、ひいては、センタートンネル４に堅固に取り付けることができる。
【００３０】
尚、変形例として、上述した１つの取付ブラケット２５は、一対の下部センタメンバ２４に対応して一対の取付ブラケット２５によって構成しても良いし、一対の下部センタメンバ２４は、所望の強度や剛性が得られるのであれば、１つの下部センタメンバ２４によって構成しても良いし、或いは、３つ以上の下部センタメンバ２４によって構成しても良い。
【００３１】
図３からわかるように、センタートンネル４に取り付けられた下部センタメンバ２４の高さは、センタートンネル４に取り付けられた後席用空調ユニツト１０の高さよりも高くなるように、寸法決めされている。
【００３２】
次に、図５を参照すると、各下部センタメンバ２４の上端部には車幅方向、この実施形態では外方、に延びるボルトによって構成された回動軸２６が設けられ、回動軸２６の車両前後方向前方にはボルト取付穴２７Ａ、２７Ｂが形成されている。
【００３３】
他方、クロスメンバ２２から延びる各上部センタメンバ２３の下端部には、対応する下部センタメンバ２４の回動軸２６を受け入れるスリット２８が形成され、スリット２８の車両前後方向前方にはボルト取付穴２９Ａ、２９Ｂが形成されている。
【００３４】
次に、後席用空調ユニツト１０及び一対の下部センタメンバ２４がセンタートンネル４に堅固に取り付けられた、図３に示す状態において、インストルメントパネル２１、クロスメンバ２２及び上部センタメンバ２３からなるサブ・インストルメントパネルユニツト２０を、フロントドア用開口部２から車室Ｒに運び入れ、車室Ｒの前部に取り付ける仕方を説明する。
【００３５】
先ず、「背景技術」の項で説明したように、既存の組立治具を用いてサブ・インストルメントパネルユニツト２０のクロスメンバ２２の車幅方向の一方側を片持ち支持し、このサブ・インストルメントパネルユニツト２０を、クロスメンバ２２がホディ１の側部間に延びるように、フロントドア用開口部２から略車幅方向に沿って車室Ｒに運び入れ、図４に実線で示す「搭載位置」に位置決めする。この「搭載位置」では、サブ・インストルメントパネルユニツト２０は後席用空調ユニツト１０の上方に位置するけれども、サブ・インストルメントパネルユニツト２０のクロスメンバ２２から下方に延びる上部センタメンバ２３は、既存のインストルメントパネルユニツトのクロスメンバから下方に延びるセンタメンバの全高よりも、実質的に下部センタメンバ２４の高さ分だけ短いので、既存のインストルメントパネルユニツトと比較して、後席用空調ユニツト１０に対する干渉を軽減することができる。特に、上述したように、下部センタメンバ２４の高さが後席用空調ユニツト１０の高さよりも高くなるように寸法決めされているので、サブ・インストルメントパネルユニツト２０の上部センタメンバ２３の下端部を下部センタメンバ２４の高さよりも下げる必要がなく、後席用空調ユニツト１０に対する上部センタメンバ２３の干渉を回避することができる。
【００３６】
次に、サブ・インストルメントパネルユニツト２０を、組立治具を用いて、車両前後方向前方に、図４に一点鎖線で示す「仮預け位置」まで移動させる。この「仮預け位置」では、サブ・インストルメントパネルユニツト２０は全体的に前方上方に傾けられ、サブ・インストルメントパネルユニツト２０の前端部がボディ１のフロントウインド取付用開口部Ｗから前方に突出し、上部センタメンバ２３の下端部のスリット２８が下部センタメンバ２４の回動軸２６に斜め後方から係合される。
【００３７】
続いて、サブ・インストルメントパネルユニツト２０を下部センタメンバ２４の回動軸２６を中心に車両前後方向前方に、図４に二点鎖線で示す「セット位置」まで回動させる。このとき、フロントウインドＷには、ガラスはまだ取り付けられていないため、このような回動によりユニット２０がガラスに干渉することはない。この「セット位置」では、サブ・インストルメントパネルユニツト２０は、これがボディ１に最終的に固定すべき位置を取り、各上部センタメンバ２３のボルト取付穴２９Ａ、２９Ｂが対応する各下部センタメンバ２４のボルト取付穴２７Ａ、２８Ｂに整合される。この状態において、ボルトＢ３を、夫々整合されたボルト取付穴２７Ａ、２８Ｂ、ボルト取付穴２９Ａ、２９Ｂに通し、ナット(図示せず)で締めて、上部センタメンバ２３と下部センタメンバ２４とを締結し、これに前後して、クロスメンバ２２の各端部をボディ１の側部にボルト・ナットにより(必要に応じてブラケットを介して)、或いは、溶接により、固定する。
【００３８】
本発明は、上述した実施形態に限定されることなく以下のような種々の変更が可能である。
【００３９】
例えば、上記実施形態では、クロスメンバ２２と上部センタメンバ２３とは一体に形成されていたけれども、クロスメンバ２２と上部センタメンバ２３とを別の部材で形成し、これらの部材を締結可能に構成しても良い。
また、上記実施形態では、上部センタメンバ２３に形成されたスリット２８と下部センタメンバの回動軸２６とによってサブ・インストルメントパネルユニツト２０を下部センタメンバ２４に仮止めしていたけれども、スリット２８を下部センタメンバ２４に形成し、回動軸２６を上部センタメンバ２３に設けても良い。
【図面の簡単な説明】
【００４０】
【図１】後席用空調ユニツトが取り付けられた車両のボディを示す概略部分側面図である。
【図２】図１のII−II線における断面図である。
【図３】図１のボディに、インストルメントパネルユニツトを構成する下部センタメンバを取り付けられた状態を示す概略部分側面図である。
【図４】本発明の一実施形態によるインストルメントパネルユニツトの搭載の仕方を示す概略部分側面図である。
【図５】図４のインストルメントパネルユニツトの上部センタメンバと下部センタメンバとの連結の仕方を示す概略部分拡大図である。
【符号の説明】
【００４１】
２  フロントドア用開口部(側方ドア用開口部)
３  フロアパネル、センタートンネル４(車両床部)
２１  インストルメントパネル
２２  クロスメンバ
２３  上部センタメンバ
２４  下部センタメンバ
【図１】
0004482817.tif 000002
【図２】
0004482817.tif 000003
【図３】
0004482817.tif 000004
【図４】
0004482817.tif 000005
【図５】
0004482817.tif 000006